【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
ページ上にレイアウトするコンテンツのサイズに応じて当該コンテンツのサブテンプレートのレイアウトを変化させることが可能な自動レイアウトシステムにおいて、
前記ページ上に前記サブテンプレートのフローを行う領域を設定する手段と、
前記ページ上に優先度を設定する手段と、
前記コンテンツにコンテンツ特性情報を設定する手段と、
前記優先度と前記コンテンツ特性情報とにしたがって前記サブテンプレートのレイアウトを決定する手段と
を備えることを特徴とする自動レイアウトシステム。
【請求項２】
前記コンテンツ特性情報は、前記コンテンツの特性を示すことを特徴とする請求項１記載の自動レイアウトシステム。
【請求項３】
前記優先度は、前記ページ内に設定された軸により設定されることを特徴とする請求項１または２記載の自動レイアウトシステム。
【請求項４】
前記軸を中心とする所定の範囲を有効範囲とし、当該有効範囲内に前記サブテンプレートを配置することを特徴とする請求項３記載の自動レイアウトシステム。
【請求項５】
ページ内の各領域に前記サブテンプレートのフロー方向を設定する手段と、
前記フロー方向にしたがって前記サブテンプレートを配置する手段と
を更に備えることを特徴とする請求項１〜４のいずれか１項に記載の自動レイアウトシステム。
【請求項６】
ページ内の各領域内に前記サブテンプレートの揃えを設定する手段と、
前記揃えにしたがって前記サブテンプレートを配置する手段と
を更に備えることを特徴とする請求項１〜５のいずれか１項に記載の自動レイアウトシステム。
【請求項７】
前記サブテンプレートが複数のページにまたがった場合に再配置する領域を求める手段と、
前記再配置する領域に前記サブテンプレートを再配置する手段と
を更に備えることを特徴とする請求項１〜６のいずれか１項に記載の自動レイアウトシステム。
【請求項８】
ページ上にレイアウトするコンテンツのサイズに応じて当該コンテンツのサブテンプレートのレイアウトを変化させることが可能な自動レイアウト方法において、
前記ページ上に前記サブテンプレートのフローを行う領域を設定するステップと
前記ページ上に優先度を設定するステップと、
前記コンテンツにコンテンツ特性情報を設定するステップと、
前記優先度と前記コンテンツ特性情報とに基づき、前記サブテンプレートのレイアウトを決定するステップと
を含むことを特徴とする自動レイアウト方法。
【請求項９】
ページ上にレイアウトするコンテンツのサイズに応じて当該コンテンツのサブテンプレートのレイアウトを変化させることが可能なコンピュータに、
前記ページ上に前記サブテンプレートのフローを行う領域を設定する手順と
前記ページ上に優先度を設定する手順と、
前記コンテンツにコンテンツ特性情報を設定する手順と、
前記優先度と前記コンテンツ特性情報とに基づき、前記サブテンプレートのレイアウトを決定する手順と
を実行させるためのプログラム。
【請求項１０】
ページ上にコンテンツをレイアウトする領域を設定し、当該レイアウト領域内の複数の領域それぞれに優先度を設定する設定手段と、
前記コンテンツの優先度と、前記設定手段によって設定された各領域の優先度にしたがって、前記コンテンツをレイアウトする処理手段と
を有することを特徴とする装置。
【請求項１１】
ページ上にコンテンツをレイアウトする領域を設定し、当該レイアウト領域内の複数の領域それぞれに優先度を設定するステップと、
前記コンテンツの優先度と、前記設定された各領域の優先度にしたがって、前記コンテンツをレイアウトするステップと
を含むことを特徴とする方法。
【請求項１２】
コンピュータに、
ページ上にコンテンツをレイアウトする領域を設定し、当該レイアウト領域内の複数の領域それぞれに優先度を設定するステップと、
前記コンテンツの優先度と、前記設定された各領域の優先度にしたがって、前記コンテンツをレイアウトするステップと
を実行させることを特徴とするプログラム。
【手続補正２】
【補正対象書類名】明細書
【補正対象項目名】００１２
【補正方法】変更
【補正の内容】
【００１２】
本発明の自動レイアウトシステムは、ページ上にレイアウトするコンテンツのサイズに応じてコンテンツのサブテンプレートのレイアウトを変化させることが可能な自動レイアウトシステムにおいて、ページ上にサブテンプレートのフローを行う領域を設定する手段と、ページ上に優先度を設定する手段と、コンテンツにコンテンツ特性情報を設定する手段と、優先度とコンテンツ特性情報にしたがってサブテンプレートのレイアウトを決定する手段とを備えることを特徴とする。
【手続補正３】
【補正対象書類名】明細書
【補正対象項目名】００１３
【補正方法】変更
【補正の内容】
【００１３】
また、本発明の自動レイアウト方法は、ページ上にレイアウトするコンテンツのサイズに応じてコンテンツのサブテンプレートのレイアウトを変化させることが可能な自動レイアウト方法において、ページ上にサブテンプレートのフローを行う領域を設定するステップと、ページ上に優先度を設定するステップと、コンテンツにコンテンツ特性情報を設定するステップと、優先度とコンテンツ特性情報とに基づき、サブテンプレートのレイアウトを決定するステップとを含むことを特徴とする。
【手続補正４】
【補正対象書類名】明細書
【補正対象項目名】００１４
【補正方法】変更
【補正の内容】
【００１４】
また、本発明のプログラムは、ページ上にレイアウトするコンテンツのサイズに応じてコンテンツのサブテンプレートのレイアウトを変化させることが可能なコンピュータに、ページ上にサブテンプレートのフローを行う領域を設定する手順と、ページ上に優先度を設定する手順と、コンテンツにコンテンツ特性情報を設定する手順と、優先度とコンテンツ特性情報とに基づき、サブテンプレートのレイアウトを決定する手順とを実行させることを特徴とする。
【手続補正５】
【補正対象書類名】明細書
【補正対象項目名】００１５
【補正方法】変更
【補正の内容】
【００１５】
また、本発明の装置は、ページ上にコンテンツをレイアウトする領域を設定し、当該レイアウト領域内の複数の領域それぞれに優先度を設定する設定手段と、コンテンツの優先度と、設定手段によって設定された各領域の優先度にしたがって、コンテンツをレイアウトする処理手段とを有することを特徴とする。
【手続補正６】
【補正対象書類名】明細書
【補正対象項目名】００１６
【補正方法】変更
【補正の内容】
【００１６】
また、本発明の方法は、ページ上にコンテンツをレイアウトする領域を設定し、当該レイアウト領域内の複数の領域それぞれに優先度を設定するステップと、コンテンツの優先度と、設定された各領域の優先度にしたがって、コンテンツをレイアウトするステップとを含むことを特徴とする。
【手続補正７】
【補正対象書類名】明細書
【補正対象項目名】００１７
【補正方法】変更
【補正の内容】
【００１７】
さらに、本発明のプログラムは、コンピュータに、ページ上にコンテンツをレイアウトする領域を設定し、当該レイアウト領域内の複数の領域それぞれに優先度を設定する手順と、コンテンツの優先度と、設定された各領域の優先度にしたがって、コンテンツをレイアウトする手順とを含むことを特徴とする。